(57)【要約】【課題】中、小規模単位の、CO2排出ゼロ、エネルギーコストゼロの低設備コスト、かつ、汎用性を有する究極のユニット型小水力自動落下加速水圧式発電伝動装置を提供して低炭素社会の実現と脱原発社会の形成を目的とする。【解決手段】所定高さを有する所定容量の縦型外部貯水槽内に、主に、２連のタービンを配した中空タービン塔を片寄せ共壁パネル着脱式の複合容器を設置し、該上部に配した二股式サイホンから吸入、投入された複式落下流体圧で、胴部中間配置のタービンによる動力伝動を行い、且つ、更落下流体自身の加速圧で底部のスプリング式逆止弁を衝撃開口通過して外部貯水槽内に排出可能に形成して、所定量の流体で連続循環式伝動装置を形成し、ユニット型の、外部追加エネルギー不要の低発電コスト実現可能な発電装置を形成することが出来る。            【選択図】  図1
2017214921.tif 000002
【特許請求の範囲】
【請求項１】
陸地に、任意に設置可能な所定容量の上部開放の縦型貯水槽(以下貯水槽、叉は、外部槽とも言う)、及び、同じく上部開放の中空縦型槽 (以下中空タービン塔、又は、内部槽とも言う)を、主に、内外重合の複合容器として設けて内部間隙部流体貯蔵可能に形成し、かつ、前記中空タービン塔は該上部胴内に２基のタービンを並列（以下２連とも言う）回転可能に配置し、かつ、下部をコーン状に設けて底部に逆流入防止可能な開閉弁体(以下逆止弁と言う)を配して一体形成し、かつ、該複合容器上部に逆U字管（以下サイホンと言う）を頭頂部近傍二股分岐の内部流体単式吸引、複式落下可能に形成して該頭頂部と前記２連タービン間、及び、底部逆止弁間に所定の落差を設けて形成、かつ、任意に、吸排入口近傍に流体揚水補助手段を配して落下流体でタービンを回転駆動させ、再落下圧で逆止弁を強制通過して複合容器内排出入循環可能に構成された二股サイホン式のユニット型２連タービン式小水力発電動力伝動装置。  
【請求項２】
前記、２連タービン内蔵の複合容器内上部に所定同一径（以下単体と言う）のサイホンを配し、かつ、前記中空タービン塔内部上部に吸入口を有する短絡管（以下バイパスと言う）を垂直方向に配して流体複式吸入、複式落下による２連タービン回転駆動可能に、かつ、再落下後逆止弁を介して連続排出入循環可能に形成されたサイホン、及び、バイパス併用の請求項１記載ユニット型２連タービン式小水力発電動力伝動装置。
【請求項３】
前記ユニット型小水力発電動力伝動装置に於いて、前記２連のタービンを内蔵し、かつ、底部に逆止弁を配した中空タービン塔単体を、湖水、又は、貯水プール内にやぐら等を用いて設置し、かつ、前記二股サイホンを外部流体直吸入、かつ、中空タービン塔内複式落下の２連タービン回転駆動可能に形成し、かつ、再落下流体が前記底部逆止弁を介して外部排出入循環可能に形成された中空タービン搭単体式の請求項１、及び、２記載のユニット型２連タービン式小水力発電動力伝動装置。
【請求項４】
前記、２連タービン内蔵の複合容器の外部槽胴部上部所定大を切欠して対面する内部槽上部胴を片寄せ嵌合合体の壁部（以下共壁パネルと言う）、又は、前記単体式中空タービン塔上部胴自身のパネル一面を着脱可能に設けて、かつ、該パネルを上下２段式（以下上、下段パネルと言う）の組み立て可能に形成し、かつ、該下段パネル部一対を前記２連タービン左右の軸に回転可能に嵌合してタービンを一体化保持、かつ、装着脱可能に形成し、かつ、前記容器外部に所定のメインテナンスゾーンを配して形成された前記請求項１、及び、２、及び、３記載のユニット型２連タービン式小水力発電動力伝動装置。
【発明の詳細な説明】
【技術分野】
【０００１】
陸地、若しくは、湖水等に任意設置可能な小水力自動落下循環式発電動力伝動装置に関する。
【背景技術】
【０００２】
既存の発電装置は、火力、水力、風力、太陽光、原子力、地熱式等の様々の様式があった。然し、何れも、設置条件、又は、設備投資費、環境問題、或いは、気候等の制約を受け、また、特に、世界的に求められる低炭素化社会実現のため、安全性、及び、発電コスト、発電効率等に於いて更なるベースロード電源の開発が喫緊の課題となっていた。
【発明の概要】
【発明が解決しようとする課題】
【０００３】
本発明は上記課題に着目して、特に、中小規模単位の発電装置を、自然界の再生可能なエネルギー源を用いてＣＯ２排出ゼロの、かつ、汎用性を有するユニット型の小水力上下循環動力伝達可能に形成して、一定量の水が確保できれば全くと言って良いほど設置条件を厭わない地産地消型の公共発電装置、或いは、自家発電伝動装置として案出し、更には、１プラント内に動力伝動タービンを２連に配して発電効率を飛躍的に高めて装置のコストと電力料金の大幅低減を図り、かつ、低炭素社会実現可能なベースロード電源を開発して将来的に脱原発社会を形成することを目的とする。
【課題を解決するための手段】
【０００４】
本発明は、上記課題を達成するため、請求項１の如く、任意の陸地に、例えば、半地下様式で設置の複合容器を、外部に配した所定容量の上部開放の角型縦型貯水槽内部に、常時中空維持可能な中空タービン塔を、上部開放の上部角型に設けた胴部内に２連のタービンを配し、かつ、下部をコーン状に設けて、底部に少なくとも１基の逆止弁を一体構造に設けて重合可能に配して内部間隙部貯水可能に形成し、かつ、この縦型外部槽から中空タービン塔に跨る上部に所定径の逆Ｕ字状のサイホンを、頭頂部近傍で分岐する二股構造に設けて流体が単式吸入の複式落下可能に形成されて前記２連配置のタービン上にほぼ垂直に落下する流体圧で回転駆動、かつ、動力伝達可能に形成し、かつ、タービン通過後の再落下加速流体圧で底部の逆止弁を強制開口通過して外部槽貯水内に連続排出入可能なサイホン効果発揮による２連サイホン式のユニット型小水力発電動力伝動装置を形成することが出来る。なお、二股サイホンは逆Ｕ字管の頭頂部に注入口付きマンホールを配し、直列型の二股に分岐する方式に出来ると同時に、これを平面左右対称のＹ字状の二股に形成することも出来る。
また、本装置は、前記外部貯水槽の一面を部分切欠して対面する内部タービン塔の一面を片寄せして上部胴一体化の共壁パネルを設けて、かつ、この共壁パネルを着脱可能な上下２段組み立て式に設け、かつ、下段パネルを一対に設けて２連タービンの左右の軸に嵌合して保持、かつ、回転駆動可能に構成し、かつ、胴部外部に所定の機器設置可能なメインテナンスゾーンを設けて保守管理可能に形成することが出来る。
【０００５】
従がって、この様に構成された本発明のユニット型２連タービン式小水力発電伝動装置
は、所定容量の外部貯水槽を、例えば、４，０メートル×４，０メートル角、高さ約１５、乃至、１６メートルの縦型上部開放の地上、又は、半地下式等に設けて設置し、かつ、内部に、同じく上部開放型のタービン塔を、例えば、上部胴を２，０メートル角の所定高さに設けて内部に２連のタービンを配し、かつ、下部をコーン状に設けて、底部に、例えば８００ミリメートルΦの逆止弁を一体に配して収納可能に形成、かつ、外内槽間上部に逆U字状の二股サイホンを、例えば、外部貯水槽内の吸入側を８００ミリメートルΦとし、頭頂部近傍で５６０ミリメートルΦ×２の直列二股分岐式に設けて吸入側と、排出口側合
算断面口径面積をほぼ同一に設けて中空タービン塔内ほぼ垂直落下可能に配して単式吸入、複式落下による２連式のタービン駆動可能に、かつ、再落下加速エネルギーで逆止弁を強制開口通過排出循環可能に形成することが出来る。なお、二股サイホンは平面形状左右対称のＹの字状の分岐式に設けることも出来ると同時に、単体サイホンの複数基式に設けることも出来る。もとより、単体サイホンの１連タービン式に設けることも出来る。
また、本装置は、複合容器の外部槽上部胴に所定大の切欠部を設けて対面の内部槽を片寄せして一体嵌合した共壁パネルを設けて着脱可能に形成、かつ、この共壁パネルを上下段分勝の組み立て式構造に設け、かつ、下段パネルの一対を２連のタービンの左右の軸に嵌合保持、駆動回転可能に形成出来る。
かつ、本装置の前記下部逆止弁は、例えば、水平円盤合掌型のスプリング式等に設けて流体落下圧で可変排出可能に設け、かつ、開口時の隙間極小、かつ、開口面積大の周状に設けて所定落下排出量処理稼働可能に、かつ、流体落下停止時、即、閉止可能な機能を有することが望ましい。若しくは、ゴムエキスパンションジョイント等を併用することも出来る。かつ、本発明の二股サイホンは吸入側口部に、例えば、ポンプ式流体圧送手段、或いは、逆止弁近傍に水平撹拌装置、又は、エアー揚水等の流体流動化補助手段を任意に配してサイホン効果を補助することも出来る。なお、吸排口には開閉バルブが配されている。
【０００６】
従ってこのように形成された本発明のユニット型の２連タービン式小水力循環型発電装置は、タービンを２連に設けて発電効率の飛躍的向上を図ると同時に、従来の発電装置の如き、原子力、火力、水力、風力、大陽光、地熱等の発電装置に比してCO2ゼロで環境に優しく、エネルギーコストが不要、かつ、気象条件や時間にも左右されることなく、かつ、安全性にも優れ、かつ、立地条件をも問わない極めて低コスト装置の中、小単位のベースロード発電装置を確立して産業や、生活面に於いて無限の効果をもたらし、かつ、将来的には脱原発をも可能とする新時代の発電装置形成の可能性を秘めている。
又、本発明の本小水力発電伝動装置は、複合容器を、外部貯水槽外部に中空タービン塔を並列配置することも出来る。また、本ユニット式複合容器式発電装置は専用プールを設けて、或いは、湖水に所定の櫓を組んで複合容器を設置することも、若しくは、洋上浮遊式に形成することが出来る。
【０００７】
また、本発明は請求項２の如く、請求項１とほぼ同様、ユニット型に設けられて、前記流体落下加速エネルギーによる中空２連タービン塔式発電伝装置を、所定容量の上部開放の外部貯水槽と、中空タービン塔からなる複合容器を設けて、この外部槽と、中空タービン塔間上部に、例えば、サイホンを、５６０ミリメートルΦの単体式に設け、かつ、別途、中空タービン塔上部内部に５６０ミリメートルΦの給水口を設けて装着の垂直落下可能なバイパスを２連のタービン上に配して流体複式落下による２連式のタービン駆動回転能に、かつ、再落下加速エネルギーでコーン状下部胴底部に配した、例えば８０００ミリメートルΦの逆止弁を介して強制排出可能に設けて循環可能に形成することが出来る。なお、サイホンの各吸排出入口には開閉バルブが配されている。
なお、本装置に於いても、サイホンとバイパスの排出口を直列状に配して２連タービンを同一方向に回転することも、或いは、Ｙ字状の並列に配置して２連タービンの中央落下逆回転式に形成することも出来る。かつ、複合容器を共壁パネル着脱、かつ、２段式に設けて２連タービンを嵌合組み立て可能に配し、かつ、容器外部にメインテナンスゾーンを設けることが出来る。かつ、サイホン吸入口に圧送ポンプを、かつ、逆止弁近傍に撹拌、又はエアー等の揚水は徐補助手段を設けてサイホン循環効率を高めることが出来る。かつ、任意に、陸地、及び、湖水に、或いは、プールを設けて設置することが出来る。
【０００８】
また、本発明は、請求項３の如く、前記ユニット型２連タービン式小水力発電動力伝動装置に於いて。内部に２連の並列タービンを配し、かつ、底部に逆止弁を配した中空タービン塔単体を、直接、湖水、叉は、プール内にやぐらを組んで湖底に、又は、半浮上設置可能に、又は、プール内に設けて、かつ、湖水内に二股サイホンの吸入口を直に配して中  空タービン塔内複式落下可能に設け、かつ、底部に逆止弁を配して流体連続外部排出入可能に形成し、かつ、中空タービン塔外部にメインテナンスゾーンを配して形成された単体ユニット型２連タービン式小水力発電動力伝動装置を形成することが出来る。
また、本２連タービン発電装置の二股サイホンには頭頂部に注入口を、同排出入口、及び、バイパス吸排出入口にはバルブが配されている。かつ、吸排口には揚水補助手段を配することも出来る。また、二股サイホンは、平面形状直列式にも、Ｙ型式にも形成出来ると同時に、単体サイホンの複数基設置式に設けることも出来る。
【０００９】
また、本発明は、請求項４の如く、小水力発電動力伝動装置に於ける、縦型外部貯水槽内に中空の角型縦型タービン塔を配した複合容器形成の外部槽の上方一面の所定大を切欠して、内部のタービン塔の対面上部胴を片寄せ嵌合合体の共壁パネルを形成して、または、単体中空タービン塔自身の一面パネルを着脱可能に形成し、かつ、この着脱パネルを上下２段分割の組み立て可能に形成し、かつ、下段パネル部を一対に設けて２連タ−ビン軸の左右に嵌合して保持、かつ、駆動回転可能に形成し、かつ、取っ手付きに設けてタービンの組み立てと搬出入を可能に、かつ、胴部外部にメインテナンスゾーンを設けて機器の設置、及び、保守管理可能に形成することが出来る。なお、本着脱式パネル、及び、メインテナンスゾーンは、湖水設置の単体式中空のタービン塔に於いても適用される。
【発明の効果】
【００１０】
本ユニット型２連タービン式の二股サイホン流体複式落下圧式発電動力伝動装置は、従来の水力発電技術、及び、発電装置に比して、一定量の流体が確保されれば河川から離れても任意に設置可能な立地条件を問わないユニット型に設けられて、かつ、エネルギーコストが不要、かつ、地産地消型の、小規模単位の、極めて低コストのベースロード発電装置を確立し、かつ、自在に規模の拡大をも可能とし、かつ、１連タービン方式に比しても格段の発電効率が期待出来、かつ、脱原発をも可能とする新時代のエネルギー革命の可能性を秘めた新型発電装置である。
【発明を実施するための最良の形態】
【００１１】
以下、本発明の形態を図1、乃至、７、及び、図８（特願２０１６−１０５３８１における図３）によって説明する。
【実施例１】
【００１２】
本発明の、ユニット型２連タービン式小水力発電動力伝動装置１Ａは、図１〜図４、及び、図７、図８に示す如く、例えば、陸地２に任意に、所定容量の縦型外部貯水槽３を半地下式に設置して内部に、同じく上部開放の常時中空維持可能な中空タービン塔４Ａを収納可能に配した複合容器５を設けて間隙部A流体６貯蔵可能に形成し、かつ、中空タービン塔４Ａは縦型の上半部角型胴部内所定位置に２連のタービン７Ａを並列回転可能に配し、かつ、下部胴をコーン状８に設けて底部に、少なくとも１基の逆止弁９を一体に組み立て可能に構成し、かつ、この複合容器５形成の外部槽３から中空タービン塔４Ａ上部間に跨る所定径の逆U字状の二股サイホン１０Aを、吸入側の口径１０aが頭頂部近傍で二股の口径１０ｂ×２に分岐する直列型の複式に設け、かつ、吸入側の口径１０a断面積と、二股の排出側口径１０ｂの断面合算積をほぼ同一に設けて流体６が２連タービン７Ａ上にほぼ垂直落下投入可能に形成され、かつ、各サイホン吸排口１０a 、10ｂ端部近傍に開閉バルブ１１を配し、かつ、頭頂部に注水用マンホール１２を配して密開封可能に形成され、かつ、この複合容器５は、外部槽３と内部中空タービン塔４Ａの対面同士を片寄せ一体接合の共壁パネル１３Aを着脱式に設けて、かつ、外部槽３外部にメインテナンスゾーン１４を配してユニット型２連タービン流体落下式の小水力発電動力伝動装置１Ａを形成することが出来る。
【００１３】
この様に形成されたユニット型複合容器２連タービン式小水力発電動力伝動装置１Ａは、所定容量の外部貯水槽３を、例えば、４，０メートル×４，０メートル角、高さ１５、乃至、１６メートルの縦型の半地下設置式等に設けて此の上部胴の１面の所定大を切欠した箇所に、内部に配した、前記２連のタービン７Ａ内蔵の中空タービン塔４Ａを、上部胴を２，０メートル巾角等に設けて対面を片寄せして嵌合装着可能な共壁パネル１３Aを設けた複合容器５を形成して内外槽間隙部Ａに流体６貯蔵可能に設け、かつ、上部に直列型二股サイホン１０Aを、例えば、吸入口１０aを８００ミリメートルΦ、頭頂分で分岐の二股排出口１０ｂ二口を直列の５６０ミリメートルΦ×２に形成し、かつ、中空タービン塔４Ａは下部をコーン状8に設けて底部に、例えば８００ミリメートルΦの円盤状逆止弁9をスプリング９Ａ式の合掌底部円盤９Ｂを上下開閉式に設けて一体形成することが出来る。かつ、複合容器5の共壁パネル１３Ａを上下２段の着脱可能に設けてタービン軸7ａを嵌合して組み立てたまま装着脱可能に設け、かつ、外部に機器設置兼用のメインテナンスゾーン１４を配して保守管理可能に構成することが出来る。
従がって、このように形成された本発電伝動装置１Ａは、排出口10ｂ近傍のバルブ１１を締めて外部貯水槽３Ａ、及び、サイホン１０Aに水張り後、吸入口１０aのバルブ１１を閉めてマンホール１２からサイホン１０A内を満タンに注入して密封後、サイホン排出入口のバルブ１１を同時開栓することによって流体６が二股サイホン１０Ａの排出口１０ｂから吸入した流体を２連タービン７Ａに向けて垂直落下排出を開始し、以降、サイホン効果で吸入口１０aから上方に連続的に吸引されて落下後、拡大落差Ｃを含む上部落差Ｄの落下加速水圧で２連タービン７Ａを回転、駆動させ、更に、下方向への再落下Ｅ加速流圧で下部逆止弁９の円盤９Ｂに衝撃を与えて強制的にすき間Ｆを設けて開口通過して外部貯水槽３内に連続排出循環可能に形成された二股サイホン式のユニット型小水力循環流体落下発電動力伝動装置１Aを形成することが出来る。なお、本発電伝動装置１Ａの逆止弁９は、円型水平状の上下合掌盤９Ｂが流体落下加速圧と下部のスプリング９A構造によって僅少の隙間Ｆで排出可変追従可能に設け、かつ、開口面積を最大化可能とする周長方式に設け、かつ、スプリング９Aによって落下流体の衝撃圧に敏感に反応して排出可能に、かつ、流体停止時、即、スプリング９Aの自己反力と底部裏面への水圧で復元可能なバルブ機能構造に設けられている。かつ、前記逆止弁９は、エキスパンションジョイント９Ｃ等と組み合わせることも出来る。
かつ、本発明の小水力発電伝動装置は、任意に、サイホン吸入口近傍に、例えば、ポンプ圧送、又は、逆止弁近傍に撹拌等の、或いは、エアー投入等の揚水補助手段１５を配して流体循環効率を高めることが出来る。また、運転中断後の再稼働の時は、サイホン吸排出口１０ｂのバルブ１１を閉めて中空タービン塔４Ａ内の中空を確認後、再び、外部槽、及び、サイホン内に流体６を充填してサイホン吸排出側のバルブ１１を開閉栓操作して再運転することが出来る。なお、本２連タービン式小水力発電伝動装置１Ｂは図３の如く、二股サイホン１０Ｙを、平面水平左右対称のＹの字状に設けることも出来る。
また、本小水力電力発電装置は、図示しないが、中空搭内に２連のタービンを配して小径に設けたサイホンを複数配した構造に設けることも出来る。もとより、図８の如く、単式タービン、単式サイホン方式１Ｂに設けることも可能である。かつ、本小水力発電伝動装置は図示しないが、前記複合容器５の外部貯水槽３と中空タービン塔４Ａを外部並列に組み合わせ配置して形成することが出来る。なお、本発電装置は長期稼働中の外部貯水槽の蒸発分の補充が必要である。
【００１４】
従がって、このようにユニット型に設けられた本発明の画期的な２連タービン式小水力循環型発電装置１Ａは、一定量の流体確保が可能であれば、河川から遠隔地の住宅地に、又は、各工場等に立地条件を厭わず任意に地産地消可能な新エネルギーシステムを構築出来る。従がって、山々を超える高圧電送も不要となる。或いは、湖水、又は、専用プールを設けて、更には、洋上に所定の櫓を組んで固定、若しくは、浮遊式に設けて設置することが出来る。同時に、装置の構造、及び、現地据え付け作業が簡易で設備資金が低廉であり、更には、以後のメインテナンスゾーンを設けて保守管理をも大変容易にして管理コストの低減を図ることが出来る。依って、従来の発電装置に比してCO2ゼロで、エネルギーコストが不要、かつ、環境に優しく、気候条件にも左右されることなく、かつ、何よりも安全性に優れ、かつ、立地条件をも問わない極めて  低コスト等の全ての面で優れた中、小規模型のベースロード発電装置を確立して国内のみならず全世界の電力事情改善の革命に寄与して産業や、生活面に於いて無限の効果をもたらし、かつ、人類悲願の脱原発可能なエネルギー革命に発展する可能性を秘めている。
【実施例２】
【００１５】
また、本発明は図５に示す如く、ユニット型の複合容器５の、上部開放の縦型外部貯水槽３と、内部に重合の２連タービン７Ａを配した中空タービン塔４Ａからなる流体落差Ｃ、Ｄ，Ｅによる循環式発電動力伝動装置１Ｄは、外部槽３と中空タービン塔４Ａ上部間に、所定径の単体同径のサイホン１０Bを、頭頂部にマンホール１２を配して流体垂直落下可能に設け、かつ、中空タービン塔４Ａ内上部に吸入口１０Ｘを有するほぼ垂直落下可能なバイパス１０Cとを複式に設けて２連タービン７Ａ上に外部貯水槽３内の流体６を落差Ｃ，Ｄの加速エネルギーで回転駆動可能に、かつ、再落差Ｅのエネルギーで下部に配置の逆止弁９を介して外部貯水槽３内に連続投排出入可能な循環システム形成可能なサイホン１０B、及び、バイパス１０C併用式のユニット式小水力発電動力伝動装置１Ｄを形成することが出来る。なお、サイホン１０Bの頭頂部には注入口付マンホール１２を、かつ、同吸排出入口１０ａ，１０ｂ近傍には開閉バルブ１１が付されている。
従がって、この様に形成された本発明の所定径の単体サイホンの複式構造の２連タービン式のユニット式水力発電装置１Ｄは、例えば、サイホンと１０Ｂとバイパス１０Ｃを５６０Φの垂直落下可能に設け、かつ、下部に水平円盤９Ｂの逆止弁９を８００ミリメートルΦのスプリング９Ａ式に設けて形成することが出来る。なお、本装置１Ｄに於いても、複合容器５に共壁パネル１３Ａ、及び、下部パネル１３Ｂを着脱可能に配して２連のタービン７Ａを回転可能に、かつ、外部にメインテナンスゾーン１４を設けて保守管理可能に形成出来る。また、任意に、サイホン吸入口に、圧送ポンプ、或いは、、逆止弁近傍に撹拌、又は、エアー投入等の揚水補助手段１５を配することも出来る。なお、本装置に於いても貯水槽３外部に中空タービン塔４Ａを並列に組み合わせて配置することも出来る。
【実施例３】
【００１６】
また、本発明は、図６に示す如く、湖水１８、又は、プール内に所定の櫓１６を組んで直接設置可能なユニット型２連タービン式小水力発電動力伝動装置１Ｅを、内部に２連の並列タービン７Ａを配した中空タービン塔４Ａを単体式に設けて湖水１８内に直接設置し、かつ、下部をコーン８状に設けた底部に逆止弁９を配して流体６連続湖水内排出循環可能に形成、かつ、二股サイホン１０Ａ、又は、１０Ｙの吸入口１０ａを、湖水内等に直に配して中空タービン塔内部流体複式落下可能に設けて中空タービン塔単体のユニット型２連タービン７Ａ式小水力発電動力伝動装置１Ｅを形成出来る。
この様に形成された、本湖水１８内設置式の中空タービン塔単体のユニット型発電装置１Ｅに於いても、着脱パネル１３Ａ、１３Ｂを用いて，かつ、メインテナンスゾーン１４を設けてタービンの装着脱、及び、保守管理を容易に行うことが出来る。。なお、本装置１Ｅは、櫓１６を組んで湖水内複数基を組み合わせて定置式、或いは、浮遊式に設置することも出来る。又は、洋上に設置することも出来る。もとより、図８の如く１連タービン式に設けることも出来る。
【実施例４】
【００１７】
また、本発明は、図７に示す如く、前記縦型複合容器５式からなる小水力発電動力伝動装置１Ａ、及び、１Ｂ，１Ｄ，又は、中空縦型タービン塔単体式装置１Ｅに於ける着脱パネル１３Ａ、及び、下段パネル１３Ｂを上下分割組み立て式の着脱可能に形成、かつ、この下段パネル１０Ｃ１対を並列２連タ−ビン７Ａ、７Ｂの左右の軸７ａに嵌合して保持、かつ、回転駆動可能に、かつ、取っ手１７付きに形成して２連のタービンを組み立てたまま吊り下げ搬出入可能に形成して本発電装置のメインテナンスを容易にすることが出来る。かつ、複合容器5、及び、単体式中空タービン塔４Ｂ外部に、機器設置可能なメインテナンスゾーン１４を設けて機器類設置と、保守管理可能に構成することが出来る。
【図面の簡単な説明】
【００１８】
【図１】本発明のユニット型２連タービン二股サイホン式小水力発電動力伝動装置が陸上に半地下式に設置された様子を示す一部切欠の斜視全体図。
【図２】同上、直列型二股サイホン式発電装置の平面構成図。
【図３】同上、Ｙ型二股サイホン式発電装置の平面構成図。
【図４】スプリング式逆止弁の正面断面図で、片側が流体の落下圧で開口する様子を示す。
【図５】本発明の２連タービン単体サイホンとバイパス複式流体落下発電動力伝動装置。
【図６】湖水等に、二股サイホンを配した２連タービン内蔵の単体式中空タービン塔を設置した発電装置の一部切欠の正面構成図。
【図７】着脱可能な共壁パネルの部分図で、左右の下段パネルにタ―ビン軸が嵌合装着された様子を示す。
【図８】Ｈ２８，５，２６出願特２０１６−１０５３８１の図３サイホン式水力発電装置。
【符号の説明】
【００１９】
１Ａ  ユニット型複合容器内二股サイホン、２連タービン式流体落下水圧循環式発電伝動装置
１Ｂユニット型単体サイホン単体タービン式小水力発電動力伝動装置
１Ｃ同複合容器式Ｙ字型二股サイホン、２連タービン式小水力発電動力伝動装置
１Ｄ  単体サイホンとバイパス兼用式小水力発電動力伝動装置      
１Ｅ  中空タービン塔単体サイホン外部貯水直吸入式２連タービン式小水力発電動力伝動装置
２  陸地                              ３    縦型外部貯水槽      
４Ａ  中空２連サイ本式タービン塔  ４Ｂ単体サイホン式中空タービン塔          ５  複合容器                        ６  流体    
７Ａ  ２連タービン                  ７Ｂ単体タービン  
７ａ  タービン軸                    ８  コーン状胴部        
９  逆止弁                          ９Aスプリング  
９Ｂ  合掌円盤                    ９Ｃエキスパンションジョイント
１０A  直列二股サイホン            １０Ｂ単式サイホン  
１０Ｃ  バイパス                  １０Ｘ  バイパス投入口
１０Ｙ  Ｙ型サイホン              １０a  吸入口    
１０ｂ  排出口                    １１開閉バルブ        
１２注水用マンホール              １３A  着脱パネル      
１３Ｂ  下段分割パネル            １４  メインテナンスゾーン  
１５  揚水補助手段                １６  やぐら  
１７  取っ手                      １８  湖水                    
A  複合容器内間隙部              B    水位        
C  サイホン流体拡大落差          Ｄ  流体上部落差              
Ｅ  流体下部落差                  Ｆ  開閉すき間
【図１】
2017214921.tif 000003
【図２】
2017214921.tif 000004
【図３】
2017214921.tif 000005
【図４】
2017214921.tif 000006
【図５】
2017214921.tif 000007
【図６】
2017214921.tif 000008
【図７】
2017214921.tif 000009
【図８】
2017214921.tif 000010